【手続補正書】
【提出日】平成20年8月20日(2008.8.20)
【手続補正１】
【補正対象書類名】明細書
【補正対象項目名】００５７
【補正方法】変更
【補正の内容】
【００５７】
起動処理部１０１の接続判断部１２２は、画像処理装置１１とケーブルなどを介して接続される外部装置が接続されているか否かを判断する機能である。通信部１２３は、接続されている外部装置と通信する（データの授受を行う）機能である。
【手続補正２】
【補正対象書類名】明細書
【補正対象項目名】００７９
【補正方法】変更
【補正の内容】
【００７９】
ステップＳ１２において、記録媒体に対してマウントが行われことにより、記録媒体が装着されている（内蔵している）画像処理装置１１自体が、その記録媒体に記録されているファイルなどを閲覧することは可能であるし、画像処理装置１１に接続されている他の装置からも、その記録媒体に記録されているファイルなどを閲覧できることが可能となる。
【手続補正３】
【補正対象書類名】明細書
【補正対象項目名】００８３
【補正方法】変更
【補正の内容】
【００８３】
ステップＳ１３において、外部装置と接続していると判断されると、ステップＳ１４に処理が進められる。ステップＳ１４において、アンマウント処理部１２５（図３）により、隠蔽データのあるエリアがアンマウントされる。ここで、隠蔽データとは、編集などされることが好ましくないデータであり、内部記録部５９のエリア１８１に記録されているデータ（ファイルなどを含む）のことである。
【手続補正４】
【補正対象書類名】明細書
【補正対象項目名】００９３
【補正方法】変更
【補正の内容】
【００９３】
ステップＳ１８において記録再生処理が実行されている間も、接続判断部１２２（図３）は、外部装置と接続されたか否かを監視している。すなわち、処理としては、ステップＳ１８の処理が実行されるとともに、ステップＳ１３に処理が戻され、それ以降の処理が繰り返される。
【手続補正５】
【補正対象書類名】明細書
【補正対象項目名】０１０５
【補正方法】変更
【補正の内容】
【０１０５】
一方、ステップＳ５１において、撮影の待機中でないと判断された場合、ステップＳ５４に進み、動画像の撮影中であるか否かが判断される。例えば、ユーザにより録画ボタン３３が操作されて、撮影制御部１４１が撮影部５１による被写体の撮影を制御している場合、制御部６０は、動画像の撮影中であると判断する。
【手続補正６】
【補正対象書類名】明細書
【補正対象項目名】０１１１
【補正方法】変更
【補正の内容】
【０１１１】
圧縮伸張処理部５８は、記録制御部１４２の制御を基に、ＲＡＭ５６から供給された動画像データを、ＭＰＥＧ（Moving Picture Expert Group）２などの方式により圧縮し、圧縮された動画像データを生成するとともに、ＲＡＭ５６から供給された音声データを、ＡＡＣ（Advanced Audio Coding）などの方式により圧縮し、圧縮された音声データを生成する。
【手続補正７】
【補正対象書類名】明細書
【補正対象項目名】０１２４
【補正方法】変更
【補正の内容】
【０１２４】
このような生成が行われるように、内部記録制御部１５１（図３）は、アルバム用の動画像の撮影を制御する。そして、内部記録制御部１５１は、ステップＳ５８（図７）において、生成されたアルバム用の動画像ファイルが、内部記録部５９のエリア１８１に記録されるように制御を行う。このようにして、内部記録部５９のエリア１８１にアルバム用の動画像が記録される。
【手続補正８】
【補正対象書類名】明細書
【補正対象項目名】０１２８
【補正方法】変更
【補正の内容】
【０１２８】
撮影部５１は、撮影制御部１４１の制御を基に、被写体を撮影して画像信号を生成し、ＡＤ変換部５２、信号処理部５５を介して、ＲＡＭ５６に供給する。圧縮伸張処理部５８は、記録制御部１４２の制御の基に、ＲＡＭ５６から供給された静止画像データを、ＪＰＥＧ（Joint Photographic Experts Group）などの方式に従って圧縮して、圧縮された静止画像データを生成する。さらに、圧縮伸張処理部５８は、生成した静止画像データを基に、サムネイル画像データを生成して、生成した静止画像データおよびサムネイル画像データを、リムーバブルメディア９１に供給する。
【手続補正９】
【補正対象書類名】明細書
【補正対象項目名】０１８５
【補正方法】変更
【補正の内容】
【０１８５】
図１５Ｂは、拡大表示された一覧表示画面の一例を示す図である。図１５Ｂに示した一覧表示画面３１１においては、サムネイル画像３０２−１’，３０２−２’，３０２−４’、および３０２−５’が表示されている例を示している。図１５Ｂに示した一覧表示画面３１１は、図１５Ａに示した一覧表示画面３０１でカーソル３０３が、サムネイル画像３０２−１上に位置するときに、拡大表示が指示されたときに表示される画面である。
【手続補正１０】
【補正対象書類名】明細書
【補正対象項目名】０１８６
【補正方法】変更
【補正の内容】
【０１８６】
このような場合、図１５Ａの一覧表示画面３０１に表示されているサムネイル画像３０２−１，３０２−２，３０２−４、および３０２−５が拡大表示されることにより、図１５Ｂの一覧表示画面３１１のサムネイル画像３０２−１’，３０２−２’，３０２−４’、および３０２−５’が表示されている。なお、図１５Ｂにおいて、サムネイル画像３０２−１’との表記のダッシュ（’）は、サムネイル画像３０２−１と同一の画像であるが、拡大されている画像である（表示領域の大きさが異なる）ことを示すために、付したものである。
【手続補正１１】
【補正対象書類名】明細書
【補正対象項目名】０１９１
【補正方法】変更
【補正の内容】
【０１９１】
このように、ステップＳ８４において、決定ボタン３６が操作されたと判断されると、ステップＳ８５において、その時点で、カーソル３０３が表示されているサムネイル画像に対応する画像が、１枚表示される。このようにして、表示部３４に１枚だけ画像が表示されると、例えば、図１５Ａや図１５Ｂの表示状態に戻り、新たな画像が選択されることが考えられる。そこで、ステップＳ８６において、縮小された一覧表示画面の表示が指示されたか否かが判断される。縮小された一覧表示画面とは、一覧表示画面３０１または一覧表示画面３１１である。
【手続補正１２】
【補正対象書類名】明細書
【補正対象項目名】０１９８
【補正方法】変更
【補正の内容】
【０１９８】
ステップＳ８９において、内部記録部５９に記録されている画像の一覧表示画面が表示部３４に表示される。ステップＳ８９乃至Ｓ９６の処理は、内部記録部５９に記録されている画像の再生であり、内部再生制御部１６１（図３）により実行される。
【手続補正１３】
【補正対象書類名】明細書
【補正対象項目名】０２０２
【補正方法】変更
【補正の内容】
【０２０２】
このように、内部記録部５９に記録されている画像の一覧表示画面が表示されるときには、日付毎にサムネイル画像が分類された状態で表示される。内部記録部５９は、図１０に示したようなデータ構造で、画像ファイルを管理している。内部記録部５９は、プロパティファイル２０３を管理している。プロパティファイル２０３は、上記したように、例えば、画像が撮影された日付毎に、画像ファイルを管理しているため、このプロパティファイル２０３を参照することにより、日付毎にサムネイル画像を一覧表示することが可能である。
【手続補正１４】
【補正対象書類名】明細書
【補正対象項目名】０２１０
【補正方法】変更
【補正の内容】
【０２１０】
図１４のフローチャートの説明に戻り、ステップＳ８９において、図１７Ａに示したような内部記録部５９に記録されている画像の一覧表示画面３３１が表示されると、ステップ９０において、日付が選択されたか否かが判断される。“日付が選択された”というのは、一覧表示画面３５１に表示されているサムネイル画像のなかから、１枚のサムネイル画像が選択されたことを意味する。
【手続補正１５】
【補正対象書類名】図面
【補正対象項目名】図９
【補正方法】変更
【補正の内容】
【図９】
2007067769.tif 000001
【手続補正１６】
【補正対象書類名】図面
【補正対象項目名】図１５
【補正方法】変更
【補正の内容】
【図１５】
2007067769.tif 000002